【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
複数色の着色層の二次元方向への配列により構成されるカラーフィルタと、光源と、を含む表示装置における前記光源から前記カラーフィルタへの光路上に配置される光学基材であって、下記一般式（Ｉ）で表される金属錯体化合物、下記一般式（ＩＩ）で表されるシアニン色素のＪ会合体、及び下記一般式（ＩＩＩ）で表されるシアニン色素からなる群より選ばれる少なくとも１種の色材を含有し、５８０ｎｍ以上６１０ｎｍ以下の吸収極大波長を有する光学基材。
【化１】
2015036796.tif 000001
（一般式（Ｉ）中、Ｒ２、Ｒ３、Ｒ４、及びＲ５は、各々独立に、水素原子、又は１価の置換基を表す。Ｒ７は、水素原子、ハロゲン原子、アルキル基、アリール基、又はヘテロ環基を表す。Ｒ８及びＲ９は、各々独立に、アルキル基、アルケニル基、アリール基、ヘテロ環基、アルコキシ基、アリールオキシ基、アルキルアミノ基、アリールアミノ基、又はヘテロ環アミノ基を表す。Ｍａは、金属原子又は金属化合物を表す。Ｘ３及びＸ４は、各々独立に、ＮＲａ（Ｒａは、水素原子、アルキル基、アルケニル基、アリール基、ヘテロ環基、アルキルカルボニル基、アルキルスルホニル基、又はアリールスルホニル基を表す。）、酸素原子、又は硫黄原子を表す。Ｙ１及びＹ２は、各々独立に、ＮＲｂ（Ｒｂは水素原子、アルキル基、アルケニル基、アリール基、ヘテロ環基、アルキルカルボニル基、アルキルスルホニル基、又はアリールスルホニル基を表す。）、酸素原子、又は硫黄原子を表す。
Ｘ５は、Ｍａと結合可能な基を表す。ａは、０、１、又は２を表す。Ｒ８とＹ１とは互いに結合して５員、６員、又は７員の環を形成していてもよく、Ｒ９とＹ２とは互いに結合して５員、６員、又は７員の環を形成していてもよい。
【化２】
2015036796.tif 000002
（一般式（ＩＩ）中、Ｚ１及びＺ２は、それぞれ独立に、縮環してもよい５員または６員の含窒素複素環を形成する非金属原子群を表す。Ｒ１０及びＲ１１は、それぞれ独立に、脂肪族基を表す。Ｌ１は、炭素数１、３又は５のメチン鎖を表す。Ｘ２はアニオンを表す。ｂ、ｃ及びｄは、それぞれ独立に、０又は１を表す。）
【化３】
2015036796.tif 000003
（一般式（ＩＩＩ）中、Ｒ１、Ｒ２、Ｒ３及びＲ４は、それぞれ独立に、炭素１〜８のアルキル基、炭素数２〜８のアルケニル基又は炭素数６〜８のアリール基を表す。Ｕは、Ｎ又はＣＨを表す。Ｗ及びＺは、それぞれ独立に、芳香族環を形成するに必要な原子群を表す。Ｌは、３個、５個又は７個のメチンからなるメチン鎖を表す。Ｘは、対イオンを表す。）
【請求項２】
前記色材として、前記一般式（Ｉ）で表される金属錯体化合物より選ばれる少なくとも１種の色材を含有する請求項１に記載の光学基材。
【請求項３】
前記一般式（Ｉ）において、Ｒ２及びＲ５が、ヘテロアリール基を表す請求項２に記載の光学基材。
【請求項４】
前記ヘテロアリール基が、下記一般式（Ｉａ）で表される請求項３に記載の光学基材。
【化４】
2015036796.tif 000004
（一般式（Ｉａ）中、ＨｅｔＡｒ１はヘテロアリール環を表す。）
【請求項５】
前記一般式（Ｉ）中、Ｒ３及びＲ４は、各々独立に、アルキル基又はアリール基を表し、Ｙ１及びＹ２は、ＮＨを表し、Ｘ３及びＸ４は、酸素原子を表し、Ｒ８及びＲ９は、アルキル基を表し、Ｍａは、金属原子を表す請求項１〜請求項４のいずれか一項に記載の光学基材。
【請求項６】
更に、エチレン性不飽和基を有する重合性化合物、及び光重合開始剤を含む請求項１〜請求項５のいずれか一項に記載の光学基材。
【請求項７】
複数色の着色層の配列により構成されるカラーフィルタと、光源と、前記光源から前記カラーフィルタへの光路上に配置された請求項１〜請求項６のいずれか一項に記載の光学基材と、を含む表示装置。
【請求項８】
前記光学基材が拡散フイルムを兼ねる請求項７に記載の表示装置。
【請求項９】
前記光学基材が接着層を兼ねる請求項７又は請求項８に記載の表示装置。
【手続補正２】
【補正対象書類名】明細書
【補正対象項目名】０００３
【補正方法】変更
【補正の内容】
【０００３】
液晶表示装置に用いる白色光源は、冷陰極蛍光ランプ（ＣＣＦＬ）のほか、近年の薄型化や省電力ニーズに対応した青色ＬＥＤまたは紫外線発光ＬＥＤに黄色、又は赤色と緑色の蛍光体を組み合わせた白色ＬＥＤ方式が上市されている。これら光源はＲとＧの中間色、又はＧとＢの中間色に相当する副スペクトルを含むことや、スペクトル自体がブロードであるため、中間色に相当する波長の光も多く発光するため、色純度低下の原因となっている。例えば、青色ＬＥＤから発光された青色の分光相対発光強度スペクトルには、図５に示した曲線ＬＥＤ−ＢＬのように、ＲとＧの中間色に相当する５８０ｎｍ以上６１０ｎｍ以下の波長の光も含まれている。
【手続補正３】
【補正対象書類名】明細書
【補正対象項目名】００１３
【補正方法】変更
【補正の内容】
【００１３】
（一般式（ＩＩＩ）中、Ｒ１、Ｒ２、Ｒ３及びＲ４は、それぞれ独立に、炭素１〜８のアルキル基、炭素数２〜８のアルケニル基又は炭素数６〜８のアリール基を表す。Ｕは、Ｎ又はＣＨを表す。Ｗ及びＺは、それぞれ独立に、芳香族環を形成するに必要な原子群を表す。Ｌは、３個、５個又は７個のメチンからなるメチン鎖を表す。Ｘは、対イオンを表す。）
【手続補正４】
【補正対象書類名】明細書
【補正対象項目名】００１７
【補正方法】変更
【補正の内容】
【００１７】
＜５＞  一般式（Ｉ）中、Ｒ３及びＲ４は、各々独立に、アルキル基又はアリール基を表し、Ｙ１及びＹ２は、ＮＨを表し、Ｘ３及びＸ４は、酸素原子を表し、Ｒ８及びＲ９は、アルキル基を表し、Ｍａは、金属原子を表す＜１＞〜＜４＞のいずれか一項に記載の光学基材。
＜６＞  更に、エチレン性不飽和基を有する重合性化合物、及び光重合開始剤を含む＜１＞〜＜５＞のいずれか一項に記載の光学基材。
＜７＞  複数色の着色層の配列により構成されるカラーフィルタと、光源と、前記光源から前記カラーフィルタへの光路上に配置された＜１＞〜＜６＞のいずれか一項に記載の光学基材と、を含む表示装置。
＜８＞  光学基材が拡散フイルムを兼ねる＜７＞に記載の表示装置。
＜９＞  光学基材が接着層を兼ねる＜７＞又は＜８＞に記載の表示装置。
【手続補正５】
【補正対象書類名】明細書
【補正対象項目名】００２７
【補正方法】変更
【補正の内容】
【００２７】
（一般式（ＩＩＩ）中、Ｒ１、Ｒ２、Ｒ３及びＲ４は、それぞれ独立に、炭素１〜８のアルキル基、炭素数２〜８のアルケニル基又は炭素数６〜８のアリール基を表す。Ｕは、Ｎ又はＣＨを表す。Ｗ及びＺは、それぞれ独立に、芳香族環を形成するに必要な原子群を表す。Ｌは、３個、５個又は７個のメチンからなるメチン鎖を表す。Ｘは、対イオンを表す。）
【手続補正６】
【補正対象書類名】明細書
【補正対象項目名】００７１
【補正方法】変更
【補正の内容】
【００７１】
Ｘ５としては、ハロゲン原子、脂肪族カルボン酸基、芳香族カルボン酸基、脂肪族イミド基、芳香族イミド基、スルホン酸基、含窒素環化合物が好ましく、水酸基、脂肪族カルボン酸基、芳香族イミド基、含窒素環化合物がより好ましい。
【手続補正７】
【補正対象書類名】明細書
【補正対象項目名】００９２
【補正方法】変更
【補正の内容】
【００９２】
アラルキル基のアルキル部分は、上記アルキル基と同様である。アラルキル基のアリール部分は、後述するアリール基と同様のものが含まれる。アラルキル基の具体例には、ベンジル及びフェネチルが含まれる。アラルキル基が置換基を有する場合、アラルキル部分は、上記アラルキル基と同様である。アラルキル基のアルキル部分に置換基を有する場合、当該置換基の例としては、上記アルキル基の置換基の例と同様のものが挙げられる。アラルキル基のアリール部分に置換基を有する場合、当該置換基の例としては、前記含窒素複素環及びその縮合環の置換基として挙げたものが含まれる。
【手続補正８】
【補正対象書類名】明細書
【補正対象項目名】０１１８
【補正方法】変更
【補正の内容】
【０１１８】
以下、一般式（ＩＩＩ）について詳細に説明する。
一般式（ＩＩＩ）中、Ｒ１、Ｒ２、Ｒ３及びＲ４は、それぞれ独立に、炭素１〜８のアルキル基、炭素数２〜８のアルケニル基又は炭素数６〜８のアリール基を表す。Ｕは、Ｎ又はＣＨを表す。Ｗ及びＺは、それぞれ独立に、芳香族環を形成するに必要な原子群を表す。Ｌは、３個、５個又は７個のメチンからなるメチン鎖を表す。Ｘは、対イオンを表す。
【手続補正９】
【補正対象書類名】明細書
【補正対象項目名】０１２１
【補正方法】変更
【補正の内容】
【０１２１】
一般式（ＩＩＩａ）中、Ｒ４Ａ、Ｒ４Ｂ、Ｒ５Ａ及びＲ５Ｂはアルキル基、アルケニル基又はアリール基であり、これらは互いに同一でも異なっていてもよい。Ｌ１は置換されていてもよいメチン基又は３個、５個又は７個のメチン基が共役二重結合を形成するように連結されてなる三価の基であり、ＺＡ及びＺＢは芳香族環を形成するための原子群、Ｘ−  は陰イオンである。）
上記一般式（ＩＩＩａ）において、ＺＡ  、ＺＢ  、Ｌ１  、Ｒ４Ａ、Ｒ４Ｂ、Ｒ５Ａ及びＲ５Ｂはそれぞれ更に置換基を有していてもよい。これらの基中の置換基の中でも、シーハンシュ（Ｃ．Ｈａｎｓｃｈ）等によって提唱されている疎水性パラメーターであるπが−１．０〜１５の範囲である置換基が好ましい。
【手続補正１０】
【補正対象書類名】明細書
【補正対象項目名】０１２４
【補正方法】変更
【補正の内容】
【０１２４】
一般式（ＩＩＩａ）中のＺＡ又はＺＢで表される原子群としては、ベンゼン環、ナフタレン環又はアントラセン環を形成するための原子群が好ましく、中でもベンゼン環、ナフタレン環を形成するための原子群が特に好ましい。また、ＺＡ及びＺＢは、前記Ｒ４Ａ、Ｒ４Ｂ、Ｒ５ＡもしくはＲ５Ｂ中の置換基として述べた前記置換基を有していてもよい。ＺＡ  及びＺＢ  中の置換基としては、ハロゲン原子（例えば、Ｆ、Ｃｌ、Ｂｒ及びＩ等）、置換もしくは非置換のフェニル基（例えば、フェニル基、ｍ−クロロフェニル基及びｐ−メチルフェニル基等）、アルキルチオ基（例えば、メチルチオ基及びブチルチオ基等）、置換もしくは非置換のフェニルチオ基（例えば、フェニルチオ基、ｐ−クロロフェニルチオ基及びｍ−メチルフェニルチオ基等）、置換もしくは非置換のアルキル基（例えば、メチル基、トリフルオロメチル基及びｔｅｒｔ−アミル基等）、シアノ基、アルコキシカルボニル基（例えば、プロポキシカルボニル基、ブトキシカルボニル基、ベンジルオキシカルボニル基、デシルオキシカルボニル基及び２−エチルヘキシルオキシカルボニル基等）及びアルキルもしくはアリールスルホニル基（例えば、ブタンスルホニル基、フェニルスルホニル基及びオクタンスルホニル基等）が好ましい。
【手続補正１１】
【補正対象書類名】明細書
【補正対象項目名】０２０９
【補正方法】変更
【補正の内容】
【０２０９】
＜表示装置＞
本発明に係る表示装置は、複数色の着色層の配列により構成されるカラーフィルタと、光源と、前記光源から前記カラーフィルタへの光路上に配置された光学基材と、を含む。
光源としては、例えば、導光板を用いたエッジライト型や、直下型のタイプのものが用いられる。光源は、例えば、以下のものを含んで構成されている。すなわち、ＣＣＦＬ（Ｃｏｌｄ  Ｃａｔｈｏｄｅ  Ｆｌｕｏｒｅｓｃｅｎｔ  Ｌａｍｐ：冷陰極蛍光ランプ）や、ＦＦＬ（Ｆｌａｔ  Ｆｌｕｏｒｅｓｃｅｎｔ  Ｌａｍｐ：フラット蛍光ランプ）などである。また、ＬＥＤ（Ｌｉｇｈｔ  Ｅｍｉｔｔｉｎｇ  Ｄｉｏｄｅ：発光ダイオード）や、ＥＬ（Ｅｌｅｃｔｒｏ  Ｌｕｍｉｎｅｓｃｅｎｃｅ：電界発光）などである。
さらに青色ＬＥＤ光源に量子ドットバックライトを用いる形態では、輝度低下を抑えつつ色再現範囲を広げる効果が更に好ましく得られる。量子ドットは例えば半導体物質（ＣｄＳ/ＺｎＳ）を数ナノに結晶形成した素材で量子力学的な光学特性を持ち、電子や光子を吸収し、結晶サイズに規定される波長の光（ＵＶ、可視光、遠赤外線）を高い効率で発光する特徴がある。この量子ドットを赤、緑のフォトルミネセンス材料に用い、青色ＬＥＤ光源と組み合わせてＬＣＤバックライト光源に用い、色再現範囲を向上させるものである。
また、光源は、この他にも、液晶表示パネル側から戻ってきた光を拡散させて、再び表示光として利用する（リサイクル）ための反射板が設けられていてもよい。
光源とカラーフィルタとの間には、拡散板が設けられていることが好ましい。拡散板は、光源２１の光を拡散させて面内方向の輝度を均一に保つ機能を有する。
【手続補正１２】
【補正対象書類名】明細書
【補正対象項目名】０２１２
【補正方法】変更
【補正の内容】
【０２１２】
本発明においては、光源からの光が、カラーフィルタまで到達する光路上に、本発明に係る光学基材が配置される。これにより、光源が発光する光に含まれる赤色（Ｒ）と緑色（Ｇ）の中間色に相当する５８０ｎｍ以上６１０ｎｍ以下の波長の光が光学基材によって吸収される。そのため、カラーフィルタに到達する光には、上記５８０ｎｍ以上６１０ｎｍ以下の波長の光が殆ど含まれていないので、液晶表示パネルに表示される画像の色純度が向上する。
従って、光源が発光する光が、カラーフィルタに到達するまでの間に、本発明に係る光学基材を通過する位置であれば、いかなる位置に配置されていてもよい。
本発明に係る光学基材の特に好ましい配置位置は、例えば液晶表示装置における液晶表示パネルとバックライトユニットとの間、バックライトユニットにおける光源と拡散板との間、バックライトユニットにおける拡散板の液晶表示パネル側表面等が挙げられる。
【手続補正１３】
【補正対象書類名】明細書
【補正対象項目名】０２１７
【補正方法】変更
【補正の内容】
【０２１７】
〈レジスト溶液の製造〉
下記に示す各成分を下記の割合で調合し、スターラーにて各成分が完全に溶解するまで
攪拌し、レジスト溶液を得た。
・重合性化合物：ジペンタエリスリトールヘキサアクリレート：            ０．２１部
・アルカリ可溶性バインダー（アリルメタクリレート／メタクリル酸共重合体＝モル比７０／３０、重量平均分子量２６８００）：                                ２．０６部
・光重合開始剤（オキシム化合物１）（１−（Ｏ−アセチルオキシム）−１−［９−エチル−６−（チオフェノイル）−９Ｈ−カルバゾール−３−イル］プロパノン）：
０．０６部
・メルカプト化合物（昭和電工製  カレンズＭＴＢＤ１）：                ０．０２部
・溶媒（プロピレングリコールモノメチルエーテルアセテート）：          ５．４１部
・フッ素系界面活性剤（ＤＩＣ社製  メガファックＦ−５５４）：      ０．０００３部
【手続補正１４】
【補正対象書類名】明細書
【補正対象項目名】０２２２
【補正方法】変更
【補正の内容】
【０２２２】
〈青色画素の作製〉
顔料をＰ．Ｂ．１５：６に変更した以外はＰ．Ｒ．２５４の分散インキと同様の組成にてミルベースを調製し、同様の分散条件にて滞留時間１時間で分散処理を施し、Ｐ．Ｂ．１５：６の分散インキを得た。
更に、顔料をＰ．Ｖ．２３に変更した以外はＰ．Ｒ．２５４の分散インキと同様の組成にてミルベースを調製し、同様の分散条件にて滞留時間２時間で分散処理を施し、Ｐ．Ｖ．２３の分散インキを得た。
【手続補正１５】
【補正対象書類名】明細書
【補正対象項目名】０２２４
【補正方法】変更
【補正の内容】
【０２２４】
（実施例１）前述の例示化合物（Ｃ−１６）を含む光学基材の調製
特定色材として、例示化合物（Ｃ−１６）を、前述のレジスト溶液の固形分に対して１．２％となるように添加し、ダイコーターでポリエチレンテレフタレートフイルム（帝人社製、厚さ３５μｍ）上に塗布し、乾燥した後、１００ｍＪ／ｃｍ２の紫外線を照射したのちに、熱風乾燥させて、本発明に係る光学基材１を作製した。
【手続補正１６】
【補正対象書類名】明細書
【補正対象項目名】０２２５
【補正方法】変更
【補正の内容】
【０２２５】
（実施例２）前述の例示化合物（Ｃ−２０）を含む光学基材の調製
前述の光学基材１の調製と同様にして、但し、例示化合物（Ｃ−１６）に代えて、例示化合物（Ｃ−２０）を使用して、本発明に係る光学基材２を作製した。
【手続補正１７】
【補正対象書類名】明細書
【補正対象項目名】０２２６
【補正方法】変更
【補正の内容】
【０２２６】
（実施例３）前述の例示化合物（Ｃ−２１）を含む光学基材の調製
前述の光学基材１の調製と同様にして、但し、例示化合物（Ｃ−１６）に代えて、例示化合物（Ｃ−２１）を使用して、本発明に係る光学基材３を作製した。
【手続補正１８】
【補正対象書類名】明細書
【補正対象項目名】０２２７
【補正方法】変更
【補正の内容】
【０２２７】
（実施例４）前述の例示化合物（Ａ−１０）を含む光学基材の調製
前述の光学基材１の調製と同様にして、但し、例示化合物（Ｃ−１６）に代えて、例示化合物（Ａ−１０）を使用して、本発明に係る光学基材４を作製した。
【手続補正１９】
【補正対象書類名】明細書
【補正対象項目名】０２２８
【補正方法】変更
【補正の内容】
【０２２８】
（実施例５）前述の例示化合物（ＩＩ−２）を含む光学基材の調製
前述の光学基材１の調製と同様にして、但し、例示化合物（Ｃ−１６）に代えて、例示化合物（ＩＩ−２）のＪ会合体を使用して、本発明に係る光学基材５を作製した。
【手続補正２０】
【補正対象書類名】明細書
【補正対象項目名】０２２９
【補正方法】変更
【補正の内容】
【０２２９】
（実施例６）前述の例示化合物（ＩＩＩ−２９）を含む光学基材の調製
前述の光学基材１の調製と同様にして、但し、例示化合物（Ｃ−１６）に代えて、例示化合物（ＩＩＩ−２９）を使用して、本発明に係る光学基材６を作製した。
【手続補正２１】
【補正対象書類名】明細書
【補正対象項目名】０２３０
【補正方法】変更
【補正の内容】
【０２３０】
（比較例１）テトラアザポルフィリン化合物を含む光学基材の調製
前述の光学基材１の調製と同様にして、但し、例示化合物（Ｃ−１６）に代えて、テトラアザポルフィリン化合物である、ＴＡＰ−１８（山田化学）を使用して、比較例に係る光学基材Ｃ１を作製した。
【手続補正２２】
【補正対象書類名】明細書
【補正対象項目名】０２３１
【補正方法】変更
【補正の内容】
【０２３１】
（比較例２）テトラアザポルフィリン化合物を含む光学基材の調製
前述の光学基材１の調製と同様にして、但し、例示化合物（Ｃ−１６）に代えて、テトラアザポルフィリン化合物である、ＴＡＰ−２（山田化学）を使用して、比較例に係る光学基材Ｃ２を作製した。
以上のようにして作製した光学基材１〜６、Ｃ１及びＣ２の分光吸収特性を分光光度計（島津製作所社製、ＵＶ−３１００）にて測定した。各光学基材の分光透過率スペクトルを、光学基材１〜４については図１に、光学基材５、６、Ｃ１及びＣ２については図２に示した。図１中及び図２中の曲線に付した番号は、光学基材の番号に対応する。
【手続補正２３】
【補正対象書類名】明細書
【補正対象項目名】０２３５
【補正方法】変更
【補正の内容】
【０２３５】
表１の結果に示すとおり、本発明に係る光学基材１〜６のいずれかを貼り付けたバックライトは、色再現率向上が確認された。特に極大吸収波長が５８０ｎｍ以上６１０ｎｍ以下の色材を含む光学基材１〜３は、テトラアザポルフィリン色素（ＴＡＰ２、又はＴＡＰ１８）を含む比較例としての光学基材Ｃ１及びＣ２を貼り付けたバックライトに比べて、良好な輝度を保持しながら色再現率が高いことが分かる。これは、光学基材Ｃ１及びＣ２に用いた色材のテトラアザポルフィリン色素の吸収スペクトルが５８０ｎｍ以上６１０ｎｍ以下の範囲の波長の近傍において、ブロードなため、本来透過させたい波長の光も吸収してしまうことで色純度が低下しているのに対し、光学基材１〜３に使用した色材は、５８０ｎｍ以上６１０ｎｍ以下の範囲の波長の吸収スペクトルがシャープ（半値幅が狭い）なため、本来透過させたい光の吸収が少ないことによるものである。